(57)【特許請求の範囲】
【請求項１】
長尺なベルト帯と、前記ベルト帯の先端部が差し入れられるバックルと、前記バックルが取り付けられており前記ベルト帯の後端部側に連結される連結体と、を備え、前記連結体に連結された状態の前記ベルト帯の先端部を前記バックルに差し入れて、ユーザーの腰回りに合わせて固定することができる衣服用ベルトであって、
前記連結体には、前記ベルト帯の長手方向と交差する向きであるとともに前記連結体の裏面と略平行に配される突片が設けられており、
前記ベルト帯は芯材を表革と裏革とで挟み込んでなる部材であり、
前記ベルト帯の後端部側の前記裏革には、前記突片を前記ベルト帯の幅方向に沿わせてそのベルト帯に挿し込み、前記突片の端部を露出させないように前記ベルト帯内に納めるための小孔が前記ベルト帯の長手方向に沿って所定間隔毎に複数設けられており、
前記複数の小孔のいずれかが選択されて、その小孔に前記突片が挿し入れられることで、前記連結体と前記ベルト帯が連結されるとともに、前記連結体から前記ベルト帯の先端部までの長さが調整されて、当該衣服用ベルトの長さが調整されるように構成されていることを特徴とする衣服用ベルト。
【請求項２】
長尺なベルト帯と、前記ベルト帯の先端部が差し入れられるバックルと、前記バックルが取り付けられており前記ベルト帯の後端部側に連結される連結体と、を備え、前記連結体に連結された状態の前記ベルト帯の先端部を前記バックルに差し入れて、ユーザーの腰回りに合わせて固定することができる衣服用ベルトであって、
前記連結体には、前記ベルト帯の長手方向と交差する向きであるとともに前記連結体の裏面と略平行に配される突片が設けられており、
前記ベルト帯は芯材を表革と裏革とで挟み込んでなる部材であり、
前記ベルト帯の後端部側の前記裏革には、前記突片を前記ベルト帯の幅方向に沿わせてそのベルト帯に挿し込み、前記突片の端部を露出させないように前記ベルト帯内に納めるための小孔を前記ベルト帯の長手方向に沿う複数の位置に形成可能とされており、
所望する位置に形成された小孔に前記突片が挿し入れられることで、前記連結体と前記ベルト帯が連結されるとともに、前記連結体から前記ベルト帯の先端部までの長さが調整されて、当該衣服用ベルトの長さが調整されるように構成されていることを特徴とする衣服用ベルト。
【請求項３】
前記小孔に挿し入れられた前記突片は、前記芯材と前記裏革の間に介装されることを特徴とする請求項１又は２に記載の衣服用ベルト。
【請求項４】
前記小孔に挿し入れられた前記突片は、前記芯材に刺し込まれていることを特徴とする請求項１又は２に記載の衣服用ベルト。
【請求項５】
当該衣服用ベルトは、前記ベルト帯の後端部の端に近い側の小孔に前記突片が挿し入れられることで、前記連結体から前記ベルト帯の先端部までの長さを長くする調整と、前記ベルト帯の後端部の端から遠い側の小孔に前記突片が挿し入れられることで、前記連結体から前記ベルト帯の先端部までの長さを短くする調整と、を行うことが可能に構成されていることを特徴とする請求項１〜４のいずれか一項に記載の衣服用ベルト。
【請求項６】
前記連結体には、前記連結体に連結された前記ベルト帯の後端部側が挿通される挿通部が設けられていることを特徴とする請求項１〜５のいずれか一項に記載の衣服用ベルト。
【請求項７】
前記挿通部は、前記突片を挟む配置に対を成して設けられていることを特徴とする請求項６に記載の衣服用ベルト。
【請求項８】
前記挿通部は、前記ベルト帯を通すために、その一部が開放可能に構成されていることを特徴とする請求項６又は７に記載の衣服用ベルト。
【請求項９】
前記突片が前記小孔に挿し入れられた状態で、前記突片と前記ベルト帯を覆うように、前記ベルト帯の長手方向と交差する向きに折り返される折返し片が前記連結体に設けられていることを特徴とする請求項１〜５のいずれか一項に記載の衣服用ベルト。
【発明の詳細な説明】
【技術分野】
【０００１】
本発明は、衣服用ベルトに関する。
【背景技術】
【０００２】
スーツのズボン、カジュアルパンツ及びジーパン等（以下、総称して「ズボン」という）を着る場合、ズボンが下がらないようにベルトを着用する。また場合によっては、ベルトによってファッションを強調したりもする。
【０００３】
そして、一般的な衣服用ベルトとしては、長尺なベルト帯の後端部に連結金具によってバックルが連結されているものが知られている（例えば、特許文献１参照。）。
この衣服用ベルトは、ユーザーの腰回りの寸法に応じてベルト帯の後端部をカットして長さ調整したものに連結金具でバックルを連結するようにして、ユーザー自身がベルトのサイズ調整を行うことが可能になっている。
ユーザーの体形に合わせてサイズ調整された衣服用ベルトであれば、ベルト帯を腰に巻いた状態でベルト帯の先端部をバックルに差し入れて、所望する位置で固定することができる。
【先行技術文献】
【特許文献】
【０００４】
【特許文献１】実開昭５３−１３５７２０号公報
【発明の概要】
【発明が解決しようとする課題】
【０００５】
しかしながら、上記特許文献１の衣服用ベルトの場合、ベルト帯に連結金具の係止歯を食い込ませるようにしてバックルを連結しているため、係止歯が食い込んだ部分のベルト帯が損傷してしまうことがあり、その部分の見栄えが悪くなることがあるという問題があった。
【０００６】
本発明の目的は、見栄えのよい衣服用ベルトを提供することである。
【課題を解決するための手段】
【０００７】
以上の課題を解決するため、請求項１に記載の発明は、
長尺なベルト帯と、前記ベルト帯の先端部が差し入れられるバックルと、前記バックルが取り付けられており前記ベルト帯の後端部側に連結される連結体と、を備え、前記連結体に連結された状態の前記ベルト帯の先端部を前記バックルに差し入れて、ユーザーの腰回りに合わせて固定することができる衣服用ベルトであって、
前記連結体には、前記ベルト帯の長手方向と交差する向きであるとともに前記連結体の裏面と略平行に配される突片が設けられており、
前記ベルト帯は芯材を表革と裏革とで挟み込んでなる部材であり、
前記ベルト帯の後端部側の前記裏革には、前記突片を前記ベルト帯の幅方向に沿わせてそのベルト帯に挿し込み、前記突片の端部を露出させないように前記ベルト帯内に納めるための小孔が前記ベルト帯の長手方向に沿って所定間隔毎に複数設けられており、
前記複数の小孔のいずれかが選択されて、その小孔に前記突片が挿し入れられることで、前記連結体と前記ベルト帯が連結されるとともに、前記連結体から前記ベルト帯の先端部までの長さが調整されて、当該衣服用ベルトの長さが調整されるように構成されていることを特徴とする。
【０００８】
また、請求項２に記載の発明は、
長尺なベルト帯と、前記ベルト帯の先端部が差し入れられるバックルと、前記バックルが取り付けられており前記ベルト帯の後端部側に連結される連結体と、を備え、前記連結体に連結された状態の前記ベルト帯の先端部を前記バックルに差し入れて、ユーザーの腰回りに合わせて固定することができる衣服用ベルトであって、
前記連結体には、前記ベルト帯の長手方向と交差する向きであるとともに前記連結体の裏面と略平行に配される突片が設けられており、
前記ベルト帯は芯材を表革と裏革とで挟み込んでなる部材であり、
前記ベルト帯の後端部側の前記裏革には、前記突片を前記ベルト帯の幅方向に沿わせてそのベルト帯に挿し込み、前記突片の端部を露出させないように前記ベルト帯内に納めるための小孔を前記ベルト帯の長手方向に沿う複数の位置に形成可能とされており、
所望する位置に形成された小孔に前記突片が挿し入れられることで、前記連結体と前記ベルト帯が連結されるとともに、前記連結体から前記ベルト帯の先端部までの長さが調整されて、当該衣服用ベルトの長さが調整されるように構成されていることを特徴とする。
【０００９】
請求項３に記載の発明は、請求項１又は２に記載の衣服用ベルトにおいて、
前記小孔に挿し入れられた前記突片は、前記芯材と前記裏革の間に介装されることを特徴とする。
【００１０】
請求項４に記載の発明は、請求項１又は２に記載の衣服用ベルトにおいて、
前記小孔に挿し入れられた前記突片は、前記芯材に刺し込まれていることを特徴とする。
【００１１】
請求項５に記載の発明は、請求項１〜４のいずれか一項に記載の衣服用ベルトにおいて、
当該衣服用ベルトは、前記ベルト帯の後端部の端に近い側の小孔に前記突片が挿し入れられることで、前記連結体から前記ベルト帯の先端部までの長さを長くする調整と、前記ベルト帯の後端部の端から遠い側の小孔に前記突片が挿し入れられることで、前記連結体から前記ベルト帯の先端部までの長さを短くする調整と、を行うことが可能に構成されていることを特徴とする。
【００１２】
請求項６に記載の発明は、請求項１〜５のいずれか一項に記載の衣服用ベルトにおいて、
前記連結体には、前記連結体に連結された前記ベルト帯の後端部側が挿通される挿通部が設けられていることを特徴とする。
【００１３】
請求項７に記載の発明は、請求項６に記載の衣服用ベルトにおいて、
前記挿通部は、前記突片を挟む配置に対を成して設けられていることを特徴とする。
【００１４】
請求項８に記載の発明は、請求項６又は７に記載の衣服用ベルトにおいて、
前記挿通部は、前記ベルト帯を通すために、その一部が開放可能に構成されていることを特徴とする。
【００１５】
請求項９に記載の発明は、請求項１〜５のいずれか一項に記載の衣服用ベルトにおいて、
前記突片が前記小孔に挿し入れられた状態で、前記突片と前記ベルト帯を覆うように、前記ベルト帯の長手方向と交差する向きに折り返される折返し片が前記連結体に設けられていることを特徴とする。
【発明の効果】
【００１６】
本発明によれば、見栄えのよい衣服用ベルトが得られる。
【図面の簡単な説明】
【００１７】
【図１】本実施形態の衣服用ベルトを示す正面図である。
【図２】本実施形態の衣服用ベルトを示す側面図である。
【図３】衣服用ベルトのベルト帯を示す斜視図（ａ）と、そのベルト帯の分解斜視図（ｂ）である。
【図４】衣服用ベルトのベルト帯と連結体を分離した状態を示す背面図（ａ）および側面図（ｂ）と、衣服用ベルトのベルト帯と連結体を連結する手順に関する説明図（ｃ）（ｄ）（ｅ）である。
【図５】衣服用ベルトの変形例を示す斜視図である。
【図６】衣服用ベルトの変形例を示す斜視図である。
【図７】図６の衣服用ベルトのベルト帯と連結体を連結した態様を示す斜視図である。
【図８】衣服用ベルトの変形例を示す斜視図である。
【図９】図８の衣服用ベルトのベルト帯と連結体を連結した態様を示す斜視図である。
【図１０】衣服用ベルトの変形例を示す斜視図である。
【図１１】図１０の衣服用ベルトのベルト帯と連結体を連結した態様を示す斜視図である。
【発明を実施するための形態】
【００１８】
以下、図面を参照して、本発明に係る衣服用ベルトの実施形態について詳細に説明する。但し、以下に述べる実施形態には、本発明を実施するために技術的に好ましい種々の限定が付されているが、本発明の範囲を以下の実施形態及び図示例に限定するものではない。
本実施形態の衣服用ベルトは、ユーザー自身が長さ調整して使用するベルトである。
【００１９】
本実施形態の衣服用ベルト１００は、例えば、図１〜図４に示すように、長尺なベルト帯１０と、ベルト帯１０の先端部１１（剣先）が差し入れられるバックル２０と、ベルト帯１０の後端部１２側に連結される連結体３０等を備えている。
【００２０】
ベルト帯１０は、例えば、本革や合成皮革などを材料にした帯状部材である。
ベルト帯１０の後端部１２側の裏面には、後述する係止部材４０の突片４１をベルト帯１０の幅方向に沿わせてそのベルト帯１０に挿し込むための小孔５０がベルト帯１０の長手方向に沿って所定間隔毎に複数設けられている。
なお、複数の小孔５０は、例えば、２ｃｍ〜５ｃｍの所定間隔毎に設けられている。
【００２１】
このベルト帯１０は、例えば、図３（ａ）（ｂ）に示すように、芯材１０ａを表革１０ｂと裏革１０ｃとで挟み込んで縫着されてなる。
ベルト帯１０の裏面に配される裏革１０ｃには複数の小孔５０が形成されている。
その裏革１０ｃは、ベルト帯１０の幅方向に沿う縫い目５０ａによって芯材１０ａに縫着されており、その縫い目５０ａは小孔５０を挟む位置に設けられている。
【００２２】
バックル２０は、例えば、ステンレスや真鍮などの金属製の部材であり、ベルトの緩みを防ぐための留め金である。
このバックル２０は、連結体３０の折り返し部分に取り付けられている。
【００２３】
連結体３０は、例えば、本革や合成皮革などを材料にした部材であり、一端側３１がベルトの表側に配され、他端側３２がベルトの裏側に配されるように、バックル２０の取り付け箇所にて折り返されている。
この連結体３０の一端側３１と他端側３２の間に定革３０ａが取り付けられている。
定革３０ａは、例えば、本革や合成皮革などを材料にした輪状の部材であり、バックル２０に差し入れられたベルト帯１０の先端部１１（剣先）が挿通される留め具である。
【００２４】
また、図４（ａ）（ｂ）に示すように、連結体３０には、ベルト帯１０の長手方向と交差する向きであるとともに連結体３０の裏面と略平行に配される突片４１が設けられている。具体的には、ベルト帯１０の長手方向と交差する向きの突片４１を有する係止部材４０が連結体３０に配設されている。
係止部材４０は金属製の平板部材であり、その係止部材４０に取り付けられた帯材４０ａが連結体３０の一端側３１と他端側３２の間に縫着されており、係止部材４０が連結体３０の一端側３１の裏面側に配設されている。
この係止部材４０の突片４１がベルト帯１０の小孔５０に挿し入れられ、その係止部材４０にベルト帯１０の後端部１２側が係止されるようにして、連結体３０にベルト帯１０が連結されるようになっている。
【００２５】
また、図４（ａ）に示すように、この連結体３０には、連結体３０の一部を成している一対の折返し片３３，３４が設けられている。
一対の折返し片３３，３４は、連結体３０の一端側３１の両側の一部が、その幅方向に延設された態様に形成されている。
この折返し片３３，３４は、連結体３０に連結されたベルト帯１０の後端部１２を覆うように折り返される端片である。
具体的には、連結体３０に連結されたベルト帯１０の後端部１２を覆うように、一方の折返し片３３が折り返され、その一方の折返し片３３に重ねるように、他方の折返し片３４が折り返されるようになっている。
つまり、連結体３０の一端側３１の両側に設けられている一対の折返し片３３，３４は、連結体３０に連結されたベルト帯１０を両側から覆うように折り返される。
【００２６】
そして、一方の折返し片３３における他方の折返し片３４が重ねられる面には止着部材７０が配設されており、他方の折返し片３４における一方の折返し片３３に重ねる面には止着部材７０に止着される被止着部材８０が配設されている。
ここでの止着部材７０はメス型スナップボタンであり、被止着部材８０はオス型スナップボタンである。
なお、一方の折返し片３３における他方の折返し片３４が重ねられる面に配設されている止着部材７０がメス型面ファスナーで、他方の折返し片３４における一方の折返し片３３に重ねる面に配設されている被止着部材８０がオス型面ファスナーであってもよい。
【００２７】
次に、衣服用ベルト１００のベルト帯１０と連結体３０を連結する手順について説明する。
【００２８】
まず、ユーザーの腰回りの寸法に応じてベルト帯１０の後端部１２側の一部を切断して長さ調整する。
例えば当初、ベルト帯１０は１００ｃｍ〜１１０ｃｍの長さを有しており、そのベルト帯１０の後端部１２側の裏面には、後端部１２の端寄りの３０ｃｍ〜４０ｃｍの範囲に複数の小孔５０が設けられている。
このベルト帯１０の後端部１２側の一部をハサミなどでカットして、所望する長さのベルト帯１０にする。なお、図４（ａ）（ｂ）に示すベルト帯１０は、ユーザーの所望する長さにカットされたものである。
【００２９】
次いで、図４（ｃ）に示すように、係止部材４０の突片４１を、ベルト帯１０の切断箇所寄りの位置であって後端部１２の端側となった小孔５０に挿し入れて連結体３０とベルト帯１０を連結する。
ここでは、ベルト帯１０の後端部１２の端側となった小孔５０を選択して、その小孔５０に係止部材４０の突片４１を挿し入れている。換言すれば、ベルト帯１０の複数の小孔５０のうち、選択した小孔５０がベルト帯１０の後端部１２の端側となるようにベルト帯１０を切断し、その選択した小孔５０に係止部材４０の突片４１を挿し入れて、連結体３０とベルト帯１０を連結している。
【００３０】
なお、ベルト帯１０の小孔５０に挿し入れられた突片４１は、芯材１０ａと裏革１０ｃの間に介装された状態でベルト帯１０内に納まっていても、芯材１０ａに突き刺し込まれた状態でベルト帯１０内に納まっていてもよい。ベルト帯１０の小孔５０に挿し入れられた突片４１が芯材１０ａに突き刺し込まれている場合、突片４１の先端は芯材１０ａから突き出していないことが好ましい。
また、ベルト帯１０の小孔５０の両側には、裏革１０ｃを芯材１０ａに縫着した縫い目５０ａが設けられているので、小孔５０に挿し入れられた突片４１は、ベルト帯１０の長手方向と交差した向きでベルト帯１０内に納まるようになっている。換言すれば、係止部材４０の突片４１は、その縫い目５０ａに案内されるようにベルト帯１０の幅方向に沿って挿し入れ易くなっている。
【００３１】
次いで、図４（ｄ）に示すように、係止部材４０の突片４１がベルト帯１０の小孔５０に挿し入れられた状態で、係止部材４０とベルト帯１０の後端部１２を覆うように、一方の折返し片３３をベルト帯１０の長手方向と交差する向きに折り返す。
次いで、図４（ｅ）に示すように、係止部材４０とベルト帯１０の後端部１２を覆うように折り返された一方の折返し片３３に重ねるように他方の折返し片３４をベルト帯１０の長手方向と交差する向きに折り返して、止着部材７０と被止着部材８０を止着させる。
こうして、連結体３０に連結されたベルト帯１０を両側から覆うように、一対の折返し片３３，３４を折り返して止着することで、連結体３０とベルト帯１０の連結をより強固なものにすることができる。
【００３２】
このように、本実施形態の衣服用ベルト１００は、連結体３０に設けられている係止部材４０の突片４１をベルト帯１０の後端部１２の小孔５０に挿し入れて、連結体３０とベルト帯１０を連結した後、連結体３０に連結されたベルト帯１０を両側から覆うように一対の折返し片３３，３４を折り返して、その連結を補強しているので、ベルト帯１０と連結体３０の連結が外れてしまうことはなく、衣服用ベルト１００を好適に使用することができる。
【００３３】
そして、この衣服用ベルト１００では、ベルト帯１０や連結体３０（折返し片３３，３４）を重ね合わせる態様の連結様式を採用しているため、従来技術の衣服用ベルトのように、連結金具（係止歯）によってベルト帯を損傷させるようなことはないので、見栄えよく使用することができる。
【００３４】
特に、この衣服用ベルト１００では、係止部材４０の突片４１が挿し入れられる小孔５０が、ベルト帯１０の裏面に設けられているので、その小孔５０が悪目立ちすることはなく、見栄えよく使用することができる。
つまり、衣服用ベルト１００をズボンに装着した状態で、小孔５０が視認されることはないので、見栄えよく使用することができる。
また、この小孔５０はベルト帯１０の裏面である裏革１０ｃに設けられており、その裏面に平面的に設けられているので、衣服用ベルト１００をズボンに装着する妨げになることはなく、衣服用ベルト１００をズボンに好適に装着して使用することができる。
【００３５】
また、係止部材４０の突片４１をベルト帯１０自体に挿し込むようになっているので、ベルト帯１０と連結体３０を連結した箇所の厚みを抑えることができる。
【００３６】
なお、本発明は上記実施形態に限られるものではない。
以下に図５から図１１を用いて、衣服用ベルト１００の変形例を説明する。上記実施形態と同一部分には同符号を付し、異なる部分についてのみ説明する。
【００３７】
例えば、図５に示すように、連結体３０に設けられている係止部材４０は、平板状の係止部材本体４２と、係止部材本体４２との間に隙間をあけて係止部材本体４２に対し略平行に配置され、ベルト帯１０の長手方向と交差する向きに延在している突片４１を有するものであってもよい。
このような係止部材４０であれば、係止部材４０の突片４１をベルト帯１０の後端部１２の小孔５０に挿し入れつつ、係止部材本体４２と突片４１との間にベルト帯１０を挟んだ態様で連結体３０とベルト帯１０を連結することができる。
この係止部材４０を備えた衣服用ベルト１００であっても好適に使用することができる。
【００３８】
また、図６、図７に示す衣服用ベルト１００のように、図５に示した係止部材４０が配設されている連結体３０と、長尺なベルト帯９０とを備えた態様のものであってもよい。
このベルト帯９０の後端部９２側の裏面には、連結体３０の係止部材４０の突片４１を挿し入れ可能な小孔５０がベルト帯９０の長手方向に沿って所定間隔毎に複数設けられている。
ここでのベルト帯９０は、前述したベルト帯１０のように後端部１２を切断して長さ調整するものではなく、後端部９２の端は所定の端部形状に形成されている。
なお、このベルト帯９０の小孔５０は、前述したベルト帯１０の小孔５０と同様のものである。
【００３９】
そして、ベルト帯９０の後端部９２における複数の小孔５０のいずれかを選択し、その選択した小孔５０に突片４１を挿し入れ、連結体３０とベルト帯９０を連結することで、連結体３０からベルト帯９０の先端部９１の端までの長さを調整することができる。
例えば、図７では、ベルト帯９０の後端部９２における端から５番目の小孔５０が選択され、その選択された小孔５０に突片４１が挿し入れられている。
なお、連結体３０に連結されたベルト帯９０の後端部９２の端側は、バックル２０の裏側に配されている。また、ベルト帯９０の小孔５０に突片４１を挿し入れた後、一対の折返し片３３，３４を折り返して重ね合わせるようにする。
こうして長さ調整を行った衣服用ベルト１００のベルト帯９０を腰に巻き、そのベルト帯９０の先端部９１をバックル２０に差し入れて固定することができる。
このような衣服用ベルト１００であっても好適に使用することができる。
【００４０】
特に、図６、図７に示した衣服用ベルト１００であれば、連結体３０からベルト帯９０の先端部９１の端までの長さ調整において、そのベルトの長さを短くする調整と長くする調整を行うことができる。
例えば、図７に示した衣服用ベルト１００において、ベルト帯９０の後端部９２における端から６番目や７番目の小孔５０に突片４１を挿し入れるようにすれば、その衣服用ベルト１００の長さを短くする調整を行うことができる。また、図７に示した衣服用ベルト１００において、ベルト帯９０の後端部９２における端から４番目から１番目の小孔５０に突片４１を挿し入れるようにすれば、その衣服用ベルト１００の長さを長くする調整を行うことができる。
このように、この衣服用ベルト１００であれば、ベルトの長さを伸縮させるように、連結体３０からベルト帯９０の先端部９１の端までの長さ調整を行うことができる。
具体的には、ベルト帯９０の後端部９２の端に近い側の小孔５０に突片４１を挿し入れることで、連結体３０からベルト帯９０の先端部９１の端までの長さを長くする調整を行うことができ、ベルト帯９０の後端部９２の端から遠い側の小孔５０に突片４１を挿し入れることで、連結体３０からベルト帯９０の先端部９１の端までの長さを短くする調整を行うことができる。
【００４１】
また、図８、図９に示す衣服用ベルト１００は、長尺なベルト帯９０と、ベルト帯９０の先端部９１（剣先）が差し入れられるバックル２０と、ベルト帯９０の後端部９２側に連結される連結体６０等を備えている。
連結体６０には、ベルト帯９０の長手方向と交差する向きの突片６１が設けられている。
【００４２】
ここでの連結体６０は、金属材料からなる部材であり、平板状の連結体本体６６と、連結体本体６６の裏側に設けられた突片６１とを有している。
この突片６１は、連結体本体６６との間に隙間をあけて連結体本体６６に対し略平行に配置され、ベルト帯９０の長手方向と交差する向きに延在している。
また、連結本体６６の裏側には、連結体６０に連結されたベルト帯９０の後端部９２側が挿通される挿通部６２が設けられている。ここでは、突片６１を挟む配置に対を成して挿通部６２が設けられている。
また、連結体本体６６の表側には、バックル２０に差し入れられたベルト帯９０の先端部９１（剣先）が挿通される表側挿通部６３が設けられている。
なお、連結体６０（連結体本体６６）における表側挿通部６３近傍の端部にバックル２０が取り付けられている。
【００４３】
特に、図８に示すように、この連結体６０の挿通部６２は、ベルト帯９０を通すために、その一部が開放可能に構成されているので、連結体６０とベルト帯９０を連結し易くなっている。
例えば、連結体６０の挿通部６２の一方の端部を自由端とし、その挿通部６２の一部にヒンジや板バネを設けることで、挿通部６２の一部を開放することが可能になる。
このような衣服用ベルト１００であっても好適に使用することができる。
また、この衣服用ベルト１００も、連結体６０からベルト帯９０の先端部９１の端までの長さ調整において、そのベルトの長さを短くする調整と長くする調整を行うことができる。
【００４４】
また、図１０、図１１に示す衣服用ベルト１００のように、図５に示した係止部材４０が配設されている連結体３０と、長尺なベルト帯９０ａとを備えた態様のものであってもよい。
ここでのベルト帯９０ａは、前述したベルト帯９０（図６〜図９参照）のように、ベルト帯９０ａの後端部９２側の裏面に小孔５０は設けられておらず、連結体３０の係止部材４０の突片４１を挿し入れる箇所にユーザーが小孔５０を形成するようになっている。
具体的には、このベルト帯９０ａの後端部側の裏面には、そのベルト帯９０ａの長手方向に沿う複数の位置に、係止部材４０の突片４１をベルト帯９０ａに挿し込むための小孔５０を形成可能とされている。
本実施形態では、ベルト帯１０の幅方向に沿う複数の縫い目５０ａによって裏革１０ｃが芯材１０ａに縫着されており、例えば、一対の縫い目５０ａに挟まれた箇所に小孔５０を形成することができる。
【００４５】
例えば、図１１に示した衣服用ベルト１００においては、ベルト帯９０ａの後端部９２における端から５番目の一対の縫い目５０ａの間に小孔５０が形成され、その小孔５０に突片４１が挿し入れられている。
所望する位置に形成された小孔５０に係止部材４０の突片４１が挿し入れられることで、連結体３０とベルト帯９０ａが連結されるとともに、連結体３０からベルト帯９０ａの先端部９１の端までの長さが調整されるようになっている。
【００４６】
この小孔５０を形成するのに、係止部材４０の突片４１をベルト帯１０の裏革１０ｃに突き刺して形成しても、尖った工具を用いて形成してもよい。
なお、ベルト帯１０の小孔５０に挿し入れられた突片４１は、芯材１０ａと裏革１０ｃの間に介装された状態でベルト帯１０内に納まっている。また、ベルト帯１０の小孔５０に挿し入れられた突片４１が、芯材１０ａに刺し込まれた状態でベルト帯１０内に納まっていてもよい。
このように、一対の縫い目５０ａの間に形成された小孔５０であれば、その縫い目５０ａに沿って案内されるように、係止部材４０の突片４１をベルト帯９０ａの幅方向に沿わせて挿し入れることができる。
このような衣服用ベルト１００であっても好適に使用することができる。
【００４７】
以上のように、本実施形態の衣服用ベルト１００であれば、見栄えよく好適に使用することができる。
【００４８】
なお、本発明の適用は上述した実施形態に限定されることなく、本発明の趣旨を逸脱しない範囲で適宜変更可能である。
【符号の説明】
【００４９】
１０    ベルト帯
１１    先端部
１２    後端部
２０    バックル
３０    連結体
３０ａ  定革
３１    一端側
３２    他端側
３３    一方の折返し片
３４    他方の折返し片
４０    係止部材
４１    突片
４２    係止部材本体
５０    小孔
５０ａ  一対の縫い目
６０    連結体
６１    突片
６２    挿通部
６３    表側挿通部
６６    連結体本体
７０    止着部材
８０    被止着部材
９０    ベルト帯
９０ａ  ベルト帯
９１    先端部
９２    後端部
１００  衣服用ベルト
【要約】      （修正有）【課題】見栄えのよい衣服用ベルトを提供する。【解決手段】長尺なベルト帯１０と、ベルト帯の先端部１１が差し入れられるバックル２０と、バックルが取り付けられておりベルト帯の後端部１２側に連結される連結体３０と、を備えた衣服用ベルト１００であって、連結体には、ベルト帯の長手方向と交差する向きであるとともに連結体の裏面と略平行に配される突片４１が設けられており、ベルト帯の後端部側の裏面には、突片をベルト帯の幅方向に沿わせてそのベルト帯に挿し込むための小孔５０がベルト帯の長手方向に沿って所定間隔毎に複数設けられており、複数の小孔のいずれかが選択されて、その小孔に突片が挿し入れられることで、連結体とベルト帯が連結されるとともに、連結体からベルト帯の先端部までの長さが調整されるように構成する。【選択図】図４【図１】
0006828933.tif 000002
【図２】
0006828933.tif 000003
【図３】
0006828933.tif 000004
【図４】
0006828933.tif 000005
【図５】
0006828933.tif 000006
【図６】
0006828933.tif 000007
【図７】
0006828933.tif 000008
【図８】
0006828933.tif 000009
【図９】
0006828933.tif 000010
【図１０】
0006828933.tif 000011
【図１１】
0006828933.tif 000012